(57)【要約】【課題】使い勝手を良好なものとしつつ歯間を効果的に清掃すること。【解決手段】歯間清掃具１０は、内面１１ａが凹部Ｓを画成する基部１１と、前記内面１１ａのうち、互いに対向する部分同士の間に張設された線条部１２と、基部１１から、線条部１２の延在方向Ｄの一方側に向けて突設された把持部１３と、を備え、線条部１２には、当該線条部１２の径方向の外側に突出する複数のブラシ部１６が、前記一方側に偏って設けられている。【選択図】図１
2013150709.tif 000002
【特許請求の範囲】
【請求項１】
内面が凹部を画成する基部と、
前記内面のうち、互いに対向する部分同士の間に張設された線条部と、
前記基部から、前記線条部の延在方向の一方側に向けて突設された把持部と、を備える歯間清掃具であって、
前記線条部には、当該線条部の径方向の外側に突出する複数のブラシ部が、前記一方側に偏って設けられていることを特徴とする歯間清掃具。
【発明の詳細な説明】
【技術分野】
【０００１】
本発明は、歯間清掃具に関する。
【背景技術】
【０００２】
従来から、例えば下記特許文献１に示されるような、内面が凹部を画成する基部と、前記内面のうち、互いに対向する部分同士の間に張設された線条部と、基部から突設された把持部と、を備える歯間清掃具が知られている。
【先行技術文献】
【特許文献】
【０００３】
【特許文献１】実開平２−３７１０号公報
【発明の概要】
【発明が解決しようとする課題】
【０００４】
ところで、前記従来の歯間清掃具には、歯間を効果的に清掃することについて改善の余地があった。
【０００５】
本発明は、前述した事情に鑑みてなされたものであって、その目的は、使い勝手を良好なものとしつつ歯間を効果的に清掃することができる歯間清掃具を提供することである。
【課題を解決するための手段】
【０００６】
前記課題を解決するために、本発明は以下の手段を提案している。
本発明に係る歯間清掃具は、内面が凹部を画成する基部と、前記内面のうち、互いに対向する部分同士の間に張設された線条部と、前記基部から、前記線条部の延在方向の一方側に向けて突設された把持部と、を備える歯間清掃具であって、前記線条部には、当該線条部の径方向の外側に突出する複数のブラシ部が、前記一方側に偏って設けられていることを特徴とする。
【０００７】
この発明では、歯間を清掃するに際し、把持部を把持した後、線条部において、前記一方側に位置しブラシ部が設けられた主清掃部分ではなく、この主清掃部分よりも前記延在方向の他方側に位置しブラシ部が設けられていない挿入部分を歯間に挿入する。その後、主清掃部分が歯間を往来するように、当該歯間清掃具を前記延在方向に進退させ、歯間を線条部およびブラシ部により清掃する。
【０００８】
以上のように、当該歯間清掃具によれば、歯間を線条部およびブラシ部により清掃することができるので、線条部のみの場合に比べて効果的に清掃することができる。
またブラシ部が、線条部に前記一方側に偏って設けられているので、線条部においてブラシ部が設けられた主清掃部分ではなく、ブラシ部が設けられていない挿入部分から、線条部を歯間に挿入することが可能になり、ブラシ部を設けることにより線条部が歯間に挿入しづらくなることを抑え、使い勝手を良好なものとすることができる。
さらに把持部が、基部から前記一方側に突設され、かつ挿入部分が、線条部において前記他方側に位置しているので、把持部を把持して挿入部分を歯間に挿入するときに、歯間清掃具において口内に進入する部分を小さく抑えることも可能になり、使い勝手を更に良好なものとすることができる。
【発明の効果】
【０００９】
本発明に係る歯間清掃具によれば、使い勝手を良好なものとしつつ歯間を効果的に清掃することができる。
【図面の簡単な説明】
【００１０】
【図１】本発明の一実施形態に係る歯間清掃具の正面図である。
【図２】図１に示すＸ−Ｘ断面図である。
【発明を実施するための形態】
【００１１】
以下、図面を参照し、本発明の一実施形態に係る歯間清掃具を説明する。
図１に示すように、歯間清掃具１０は、内面１１ａが凹部Ｓを画成する基部１１と、前記内面１１ａのうち、互いに対向する部分同士の間に張設された線条部１２と、基部１１から、線条部１２の延在方向Ｄの一方側に向けて突設された把持部１３と、を備えている。
【００１２】
基部１１は、全体として弓状をなしており、図示の例では、間隔をあけて配置された一対の線保持部１４と、これらの線保持部１４の基端部同士を連結する連結部１５と、が一体成形されてなる。一対の線保持部１４はそれぞれアーチ状に湾曲するとともに、連結部１５は直線状に延在しており、両線保持部１４間の間隔は、基端部側から先端部側に向かうに従い漸次、広がった後に再び狭まっている。
【００１３】
なお本実施形態では、一対の線保持部１４において互いに対向する一対の対向面、および連結部１５においてこれらの対向面同士を連結する第１連結面は、当該基部１１の前記内面１１ａを構成している。また、一対の線保持部１４それぞれにおいて対向面の反対側に位置する非対向面、および連結部１５においてこれらの非対向面同士を連結する第２連結面は、当該基部１１の外面１１ｂを構成している。
【００１４】
線条部１２は、糸状に形成され、一対の線保持部１４の両先端部における前記対向面同士の間に、緊張状態で一本、張設されている。なお線条部１２は、複数本の細糸が束ねられて構成されていてもよく、例えばいわゆるデンタルフロス等の清掃糸により構成されていてもよい。
【００１５】
把持部１３は、基部１１の外面１１ｂから前記延在方向Ｄに沿って延設された柄状をなしており、図示の例では、基部１１の前記一対の線保持部１４のうち、前記一方側に位置する線保持部１４の基端部から前記延在方向Ｄに平行に延設されている。把持部１３は、例えば合成樹脂材料などで基部１１と一体成形されている。
【００１６】
そして本実施形態では、線条部１２には、当該線条部１２の径方向の外側に突出する複数のブラシ部１６が、前記一方側に偏って設けられている。これらのブラシ部１６は、線条部１２において前記一方側に位置する主清掃部分１２Ａに限定的に設けられており、線条部１２において主清掃部分１２Ａよりも前記延在方向Ｄの他方側に位置する挿入部分１２Ｂには設けられていない。主清掃部分１２Ａは、当該線条部１２における前記延在方向Ｄの中央よりも前記一方側に位置するとともに、挿入部分１２Ｂよりも前記延在方向Ｄに短くなっており、主清掃部分１２Ａの長さは、線条部１２の全長の半分よりも小さくなっている。さらに図示の例では、主清掃部分１２Ａは、挿入部分１２Ｂよりも太くなっている。
【００１７】
図１および図２に示すように、ブラシ部１６は、主清掃部分１２Ａにおける前記延在方向Ｄに沿った同一の位置に、当該線条部１２の周方向に間隔をあけて複数設けられている。各ブラシ部１６は、前記径方向に沿って真っ直ぐに延在し、突端に向かうに従い漸次、細くなっているとともに、各ブラシ部１６の突出量は互いに同等となっており、これらのブラシ部１６は、当該線条部１２を前記延在方向Ｄから見たときに放射状をなすブラシ群１７を構成している。図示の例では、ブラシ群１７は、６本の線条部１２が前記周方向に同等の間隔をあけてなり、前記主清掃部分１２Ａに前記延在方向Ｄに複数配置されている。
なおブラシ部１６は、線条部１２と一体成形されていてもよく、線条部１２と別に成形された後、線条部１２に固定されていてもよい。
【００１８】
以上のような歯間清掃具１０では、歯間を清掃するに際し、把持部１３を把持した後、線条部１２の主清掃部分１２Ａではなく挿入部分１２Ｂを歯間に挿入する。その後、線条部１２の主清掃部分１２Ａが歯間を往来するように、当該歯間清掃具１０を前記延在方向Ｄに進退させ、線条部１２およびブラシ部１６により歯間を清掃する。このとき、主清掃部分１２Ａのみが歯間を往来するのではなく、主清掃部分１２Ａおよび挿入部分１２Ｂを含む線条部１２の全体が歯間を往来するように、歯間清掃具１０を前記延在方向Ｄに進退させてもよい。なお、主清掃部分１２Ａおよび挿入部分１２Ｂのいずれの部分が歯間を往来するときであっても、線条部１２により歯間が清掃されることとなり、挿入部分１２Ｂにおいても歯間を清掃することができる。
【００１９】
以上説明したように、本実施形態に係る歯間清掃具１０によれば、線条部１２およびブラシ部１６により歯間を清掃することができるので、線条部１２のみの場合に比べて効果的に清掃することができる。
またブラシ部１６が、線条部１２に前記一方側に偏って設けられているので、線条部１２においてブラシ部１６が設けられた主清掃部分１２Ａではなく、ブラシ部１６が設けられていない挿入部分１２Ｂから、線条部１２を歯間に挿入することが可能になり、ブラシ部１６を設けることにより線条部１２が歯間に挿入しづらくなることを抑え、使い勝手を良好なものとすることができる。
さらに把持部１３が、基部１１から前記一方側に突設され、かつ挿入部分１２Ｂが、線条部１２において前記他方側に位置しているので、把持部１３を把持して挿入部分１２Ｂを歯間に挿入するときに、歯間清掃具１０において口内に進入する部分を小さく抑えることも可能になり、使い勝手を更に良好なものとすることができる。
【００２０】
また本実施形態では、主清掃部分１２Ａが、挿入部分１２Ｂよりも太くなっており、挿入部分１２Ｂが、主清掃部分１２Ａよりも細くなっているので、線条部１２のうち、細い挿入部分１２Ｂから線条部１２を歯間に挿入させ易くしつつ、太い主清掃部分１２Ａにより歯間を効果的に清掃することができる。
またこのように、主清掃部分１２Ａが、挿入部分１２Ｂよりも太くなっているので、例えば主清掃部分１２Ａが、歯間を往来するときに加えられる外力により前記延在方向Ｄに過度に撓み変形すること等を抑えることができる。これにより、主清掃部分１２Ａの姿勢、さらにはブラシ部１６の姿勢を維持し易くすることが可能になり、歯間を一層効果的に清掃することができる。
【００２１】
なお、本発明の技術的範囲は前記実施形態に限定されるものではなく、本発明の趣旨を逸脱しない範囲において種々の変更を加えることが可能である。
例えば、前記実施形態では、主清掃部分１２Ａは、挿入部分１２Ｂよりも前記延在方向Ｄに短くなっているものとしたが、複数のブラシ部が、線条部に前記一方側に偏って設けられていれば、これに限られない。
また前記実施形態では、主清掃部分１２Ａが、挿入部分１２Ｂよりも太くなっているものとしたが、これに限られず、線条部は、全長にわたって同等の太さであってもよい。
【００２２】
また前記実施形態では、ブラシ部１６は、前記径方向に真っ直ぐに延在しているものとしたが、これに限られない。例えば、前記径方向に傾斜して延在していたり、湾曲していたり、屈曲していたりしてもよい。
【００２３】
また前記実施形態では、線条部１２は、一本であるものとしたが、複数本であってもよい。
さらに前記実施形態では、基部１１は、一対の線保持部１４と連結部１５とにより構成されているものとしたが、これに限られない。例えば、基部全体がアーチ状に湾曲していてもよい。
【００２４】
また前記実施形態では、把持部１３は、線保持部１４の基端部から前記延在方向Ｄに延設されているものとしたが、これに限られない。例えば、線保持部の先端部から前記延在方向に延設されていてもよい。
さらに前記実施形態では、把持部１３は、基部１１から前記延在方向Ｄに平行に延設されているものとしたが、これに限られない。例えば、基部から前記延在方向に傾斜して延設されていたり、湾曲していたり、屈曲していたりしていてもよい。
さらにまた、前記実施形態では、把持部１３および基部１１は一体成形されているものとしたが、これに限られず、各別に成形された後、組み合わされたものであってもよい。
【００２５】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００２６】
１０  歯間清掃具
１１  基部
１１ａ  内面
１２  線条部
１３  把持部
１６  ブラシ部
Ｄ  延在方向
Ｓ  凹部
【図１】
2013150709.tif 000003
【図２】
2013150709.tif 000004